(57)【要約】【課題】プレビュー画像の表示倍率に応じて、適切に補足情報を表示する。【解決手段】印刷される画像の印刷結果を示すプレビュー画像と、画像の印刷に関する補足情報とを表示する表示手段と、プレビュー画像の表示倍率をユーザからの指示に従って指定する指定手段と、指定手段によって指定された表示倍率に応じて表示部に表示する補足情報の種類を決定する決定手段と、指定手段によって指定された表示倍率に従ってプレビュー画像を表示部に表示した状態で、決定手段によって決定された種類の補足情報を表示部に表示させる表示制御手段とを備えることを特徴とする。【選択図】図６
2011121230.tif 000002
【特許請求の範囲】
【請求項１】
印刷される画像の印刷結果を示すプレビュー画像と、前記画像の印刷に関する補足情報とを表示する表示手段と、
前記プレビュー画像の表示倍率をユーザからの指示に従って指定する指定手段と、
前記指定手段によって指定された表示倍率に応じて表示部に表示する補足情報の種類を決定する決定手段と、
前記指定手段によって指定された表示倍率に従って前記プレビュー画像を前記表示部に表示した状態で、前記決定手段によって決定された種類の補足情報を前記表示部に表示させる表示制御手段とを備えることを特徴とする画像表示装置。
【請求項２】
前記決定手段によって決定される表示倍率に応じて前記表示部に表示されるプレビュー画像の表示態様を変更する変更手段と、を備えることを特徴とする請求項１に記載の画像表示装置。
【請求項３】
前記決定手段によって表示するよう決定されなかった種類の補足情報を音声により出力する音声出力手段をさらに備えることを特徴とする請求項１または２に記載の画像表示装置。
【請求項４】
前記補足情報は、用紙サイズ、用紙種類、給紙段、トナーの種類、機器の状態、ページ番号、総ページ数のいずれかを含むことを特徴とする請求項１乃至３のいずれかに記載の画像表示装置。
【請求項５】
印刷される画像の印刷結果を示すプレビュー画像と、前記画像の印刷に関する補足情報とを表示する表示ステップと、
前記プレビュー画像の表示倍率をユーザからの指示に従って指定する指定ステップと、
前記指定ステップで指定された表示倍率に応じて表示部に表示する補足情報の種類を決定する決定ステップと、
前記指定ステップで指定された表示倍率に従って前記プレビュー画像を前記表示部に表示した状態で、前記決定ステップで決定された種類の補足情報を前記表示部に表示させる表示制御ステップとを備えることを特徴とする画像表示装置の制御方法。
【請求項６】
請求項５に記載の画像表示装置の制御方法をコンピュータに実行させるためのプログラム。
【発明の詳細な説明】
【技術分野】
【０００１】
本発明は、プレビュー画像を表示する表示部を有する画像表示装置、画像表示装置の制御方法、及びプログラムに関する。
【背景技術】
【０００２】
複合機などの画像表示装置（画像形成装置）では、出力画像のプレビュー画像をディスプレイなどの表示部に表示する。ユーザは、プレビュー画像を参照して、出力画像の配置や色味, 文字の鮮明さなどを確認することができる。これにより、ミスプリントなどの発生を低減することができる。
【０００３】
従来の画像表示装置として、例えば、用紙枚数やトナー残量といったプレビュー画像では表現できない情報（以下「補足情報」という。）を、文字やアイコンで表現してプレビュー画像と共に表示部に表示する技術が提案されている（特許文献１）。この提案では、プリント途中におけるトナー切れや用紙切れを事前に把握することが可能となり、ミスプリントなどの発生を低減することができる。
【０００４】
また、プレビュー画像の表示倍率（拡大率／縮小率）を変えることができる画像表示装置もある。このような画像表示装置を用いれば、プレビュー画像を拡大することによって、ユーザは、出力画像をより詳細に確認することができる。
【先行技術文献】
【特許文献】
【０００５】
【特許文献１】特開２００１−１１３８０３号公報
【発明の概要】
【発明が解決しようとする課題】
【０００６】
しかしながら、画像表示装置がプレビュー画像を表示する表示部の大きさには制限がある。そのため、ユーザが、プレビュー画像を拡大して表示させた場合には、補足情報が表示されなくなってしまう。
【０００７】
また、表示部の表示領域中に補足情報を表示するための専用の領域を設けると、プレビュー画像を表示可能な領域が制限されるため、ユーザは、プレビュー画像を確認しづらい。さらに、補足情報の量が多い場合、全ての補足情報を表示しきらない場合がある。
【０００８】
そこで、本発明は、プレビュー画像の表示倍率に応じて、適切に補足情報を表示することができる仕組みを提供することを目的とする。
【課題を解決するための手段】
【０００９】
上記目的を達成するために、本発明の画像表示装置は、印刷される画像の印刷結果を示すプレビュー画像と、画像の印刷に関する補足情報とを表示する表示手段と、プレビュー画像の表示倍率をユーザからの指示に従って指定する指定手段と、指定手段によって指定された表示倍率に応じて表示部に表示する補足情報の種類を決定する決定手段と、指定手段によって指定された表示倍率に従ってプレビュー画像を表示部に表示した状態で、決定手段によって決定された種類の補足情報を表示部に表示させる表示制御手段とを備えることを特徴とする。
【発明の効果】
【００１０】
本発明によれば、プレビュー画像の表示倍率に応じて、適切に補足情報を表示することができる。
【図面の簡単な説明】
【００１１】
【図１】本発明の画像表示装置の第１の実施形態である画像形成装置の概略構成を示すブロック図である。
【図２】プレビュー出力定義データの一例を示すデータ構成図である。
【図３】ユーザインタフェースの表示部に補足情報として表示する表示データの一例を示す図である。
【図４】ユーザインタフェースの表示部に補足情報として表示する表示データの一例を示す図である。
【図５】ユーザインタフェースの表示部にプレビュー画像として表示する表示データの一例を示す図である。
【図６】コントローラ部がユーザインタフェースの表示部に表示する表示データを生成する処理を説明するためのフローチャート図である。
【図７】コントローラ部がユーザインタフェースのスピーカに出力する音声データを生成する処理を説明するためのフローチャート図である。
【図８】プレビュー表示後に拡大率／縮小率を変更した場合のコントローラ部の処理を説明するためのフローチャート図である。
【図９】ユーザインタフェースの表示部に表示される画面例を示す図である。
【図１０】ユーザインタフェースの表示部に表示される画面例を示す図である。
【図１１】ユーザインタフェースの表示部に表示される画面例を示す図である。
【図１２】本発明の画像表示装置の第２の実施形態である画像形成装置における、プレビュー出力定義データの一例を示すデータ構成図である。
【図１３】ユーザインタフェースの表示部にプレビュー画像として表示する表示データの一例を示す図である。
【図１４】ユーザインタフェースの表示部に表示される画面例を示す図である。
【図１５】ユーザインタフェースの表示部に表示される画面例を示す図である。
【図１６】ユーザインタフェースの表示部に表示される画面例を示す図である。
【発明を実施するための形態】
【００１２】
以下、本発明の実施形態を図面を参照して説明する。
【００１３】
（第１の実施形態）
図１は、本発明の画像表示装置の第１の実施形態である画像形成装置の概略構成を示すブロック図である。
【００１４】
図１に示す画像形成装置１は、印刷装置１１、画像処理装置１２、及び仕上げ装置１３を備える。画像処理装置１２には、ＣＰＵ１２１、直接記憶部１２２、間接記憶部１２３、ユーザインタフェース１２４、外部インタフェース１２５、及びＧＰＵ（Ｇｒａｐｈｉｃｓ  Ｐｒｏｃｅｓｓｉｎｇ  Ｕｎｉｔ）１２６が設けられている。
【００１５】
直接記憶部１２２は、ＲＡＭ等で構成され、ＣＰＵ１２１と直接データをやり取りする記憶部である。また、直接記憶部１２２は、ＣＰＵ１２１がコントローラプログラムを実行した際に得られる情報を一時的に記憶し、当該情報にはプレビュー画像が含まれる。間接記憶部１２３は、ＨＤＤ等で構成され、直接記憶部１２２を介してＣＰＵ１２１とデータをやり取りする。間接記憶部１２３には、画像形成装置１を制御するためのコントローラプログラムが記憶されている。
【００１６】
ユーザインタフェース１２４は、タッチパネルやキーボード、マウス等の入力部及び表示部等を備え、ユーザからの指示の受け付け、受け付けた指示に応じたデータ（表示データ）を表示部に表示する。また、ユーザインタフェース１２４は、スピーカを含み、ＣＰＵ１２１の指示に応じてスピーカから音声を出力する。
【００１７】
外部インタフェース１２５は、外部装置からのデータの受信や外部装置へのデータの送信が可能となっている。外部装置としては、例えば、外付けＨＤＤや外付けＵＳＢメモリ等の記憶装置や、ネットワークを介して接続された別体のホストコンピュータや画像形成装置等が含まれる。
【００１８】
ＧＰＵ１２６は、グラフィクス処理をＣＰＵ１２１に変わって処理するプロセッサであり、表示データの拡大や縮小、変形を高速に実行することができる。
【００１９】
印刷装置１１は、画像処理装置１２が生成した画像を用紙に印刷して出力する。仕上げ装置１３は、印刷装置１１が出力した用紙に、ステイプルや折り等の仕上げ処理を実行する。
【００２０】
なお、本実施形態では、印刷装置１１や画像処理装置１２、仕上げ装置１３が実行する画像形成処理や印刷処理、仕上げ処理を「ジョブ」と称し、ジョブに関する設定を「ジョブ設定」と称する。
【００２１】
ＣＰＵ１２１は、間接記憶部１２３に記憶されたコントローラプログラムを直接記憶部１２２に移動（記憶）させることができる。この移動が完了すると、ＣＰＵ１２１は、コントローラプログラムを実行することができる状態になる。
【００２２】
コントローラ部２０は、ＣＰＵ１２１、ＧＰＵ１２６、直接記憶部１２２のうちのコントローラプログラムの記憶領域、直接記憶部１２２及び間接記憶部１２３のうちのＣＰＵ１２１がコントローラプログラムを処理した際に得られる情報の記憶領域を備える。コントローラ部２０は、ユーザインタフェース１２４に各種画面を表示するための表示制御を行う。
【００２３】
次に、プレビュー画像の生成について説明する。
【００２４】
ユーザインタフェース１２４は、ユーザからのプレビュー表示指示を受け付けると、コントローラ部２０へ通知する。コントローラ部２０は、画像処理装置１２が読み取った画像（原稿画像）や、外部インタフェース１２５が外部装置より受信した画像（受信画像）からプレビュー画像を生成する。画像形成装置１が扱う画像は、ユーザインタフェース１２４の表示部に表示する画像に比べて相当に高い解像度を有すため、プレビュー画像は、画像形成装置１が扱う画像より低い解像度で生成する。
【００２５】
そして、コントローラ部２０は、生成したプレビュー画像から表示データを生成する。また、コントローラ部２０は、プレビュー表示の拡大率／縮小率に応じて、生成したプレビュー画像を縮小・変形して表示データを生成する。
【００２６】
ユーザインタフェース１２４は、ユーザによるプレビュー画像の表示倍率の変更を受け付ける。本実施形態では、当該表示倍率は、２００［％］から２０［％］の範囲で指定できるものとする。
【００２７】
ユーザインタフェース１２４は、受け付けた表示倍率をコントローラ部２０に通知する。コントローラ部２０は、通知された表示倍率に応じて、プレビュー画像から表示データを生成する。コントローラ部２０は、表示倍率が２００［％］であれば、プレビュー画像を原稿画像または受信画像のサイズそのままのサイズで表示データを生成し、表示倍率が２００［％］未満であれば、その値に応じて、プレビュー画像を縮小して表示データを生成する。なお、プレビュー画像を表示した際に表示部の表示領域に表示しきれない場合、コントローラ部２０は、ユーザインタフェース１２４にプレビュー画像の一部を拡大して表示させる。
【００２８】
このように、実際の処理においては、プレビュー画像を縮小することにより表示データを生成するが、ユーザインタフェース１２４における表示部への表示やユーザ指示上の概念としては、プレビュー画像の半分のサイズを１００［％］とする。そして、以下の説明では、１００［％］を超える表示倍率を拡大率とし、１００［％］未満の表示倍率を縮小率とする。
【００２９】
次に、図２を参照して、プレビュー出力定義データについて説明する。図２は、プレビュー出力定義データの一例を示すデータ構成図である。
【００３０】
プレビュー出力定義データ２００は、プレビュー画像の拡大率／縮小率に応じて、ユーザインタフェース１２４の表示部に表示する内容及びスピーカに出力する音声内容を定義したデータであり、コントローラ部２０が記憶し管理する。
【００３１】
プレビュー出力定義データ２００のひとつのレコード（行）が、そのときの拡大率／縮小率に応じて、ユーザインタフェース１２４の表示部及びスピーカに出力する内容に相当する。
【００３２】
データ項目２０１およびデータ項目２０２は、プレビュー画像の拡大率／縮小率を示すデータ項目である。ユーザインタフェース１２４は、現在のプレビュー画像の拡大率／縮小率が、データ項目２０１の値以上データ項目２０２の値以下のレコードの内容に従って表示部への表示およびスピーカからの音声出力を行う。
【００３３】
データ項目２０３は、表示する補足情報の種類を示すデータ項目である。データ項目２０３には、次の文字列（情報）のうちのいずれか、あるいは、次の文字列のうちの複数をカンマ（，）で連結した文字列を記憶する。
【００３４】
ページ情報（総ページ数およびページ番号）を示す「ＰＡＧＥ」。用紙情報（用紙サイズ、用紙種類、給紙段）を示す「ＰＡＰＥＲ」。ジョブ設定のうち原稿の読み込みに関する情報を示す「ＭＯＤＥ＿ＩＮ」。ジョブ設定のうち原稿の読み込み以外に関する情報を示す「ＭＯＤＥ＿ＯＵＴ」。機器状態情報を示す「ＳＴＡＴＵＳ」。
【００３５】
なお、以下の説明では、ジョブ設定のうち、原稿読み込みに関する情報を「ジョブ設定情報（入力）」と称し、ジョブ設定のうち、原稿読み込み以外に関する情報を「ジョブ設定情報（出力）」と呼称する。
【００３６】
データ項目２０４は、データ項目２０３で示される補足情報を表示する位置を示すデータ項目である。この位置は、ユーザインタフェース１２４の表示部上の位置であり、横方向位置（ｘ）と縦方向位置（ｙ）を｛ｘ，ｙ｝の形式で記憶する。データ項目２０３に、表示する補足情報の種類が複数記憶されている場合には、それぞれの表示位置をカンマ（，）で連結した値を記憶する。すなわち、｛ｘ１，ｙ１，ｘ２，ｙ２，．．．，ｘ｛ｎ｝，ｙ｛ｎ｝｝の形式（｛ｎ｝は表示する補足情報の数）で記憶する。
【００３７】
なお、本実施形態では、ユーザインタフェース１２４の表示部は、ＶＧＡサイズのディスプレイで構成されているものとする。
【００３８】
データ項目２０５は、プレビュー画像の表示態様を示すデータ項目である。データ項目２０５には、次の情報を記憶する。通常の用紙の態様を示す「ＮＯＲＭＡＬ」。通常の用紙であってかつ前後ページの一部も表示する事を示す「ＰＡＧＥ」。通常の用紙であってかつプレビュー画像上に地紋の様子を表示する「ＮＯＲＭＡＬ＋ＷＡＴＥＲＭＡＲＫ」。通常の用紙であってかつ前後ページの一部も表示しつつプレビュー画像上に地紋の様子を表示する「ＰＡＧＥ＋ＷＡＴＥＲＭＡＲＫ」。通常の用紙であってかつプレビュー画像上にクリアトナーの様子を表示する「ＮＯＲＭＡＬ＋ＣＬＥＡＲＴＯＮＥＲ」。通常の用紙であってかつ前後ページの一部も表示しつつプレビュー画像上にクリアトナーの様子を表示する「ＰＡＧＥ＋ＣＬＥＡＲＴＯＮＥＲ」。
【００３９】
データ項目２０６は、プレビュー画像を表示する位置を示すデータ項目である。
【００４０】
データ項目２０７は、ユーザインタフェース１２４のスピーカから出力する音声の内容を示すデータ項目である。データ項目２０７に記憶する情報は、データ項目２０３に記憶する情報と同様の種類である。また、データ項目２０３と同様に、複数の文字列をカンマ（，）で連結した文字列を記憶することができる。
【００４１】
データ項目２０１からデータ項目２０６の具体例として、プレビュー出力定義データ２００のレコード２１２について説明する。レコード２１２の各データ項目は、次のとおりである。
【００４２】
拡大率／縮小率が「５１」％（データ項目２０１）以上「８０」％以下（データ項目２０２）の場合には、次の内容を出力する。
【００４３】
補足情報データとして用紙情報（「ＰＡＰＥＲ」）およびページ情報(「ＰＡＧＥ」)、機器状態情報（「ＳＴＡＴＵＳ」）を表示する（データ項目２０３）。
【００４４】
用紙情報をユーザインタフェース１２４の位置（ｘ，ｙ）＝（１０，３２０）に表示する。ページ情報をユーザインタフェース１２４の位置（ｘ，ｙ）＝（１８０，２９０）に表示する。機器状態情報をユーザインタフェース１２４の位置（ｘ，ｙ）＝（１０，４４０）に表示する（データ項目２０４）。なお、位置（ｘ，ｙ）は、表示対象の情報の左上端（描画開始位置）を示している。ただし、座標の表し方は一例であって、これら以外の座標の表し方を採用してもよい。例えば、表示対象の情報の中心位置を表す値を採用してもよい。
【００４５】
プレビュー画像は、通常の用紙であって前後ページを伴う態様（「ＰＡＧＥ」）で、ユーザインタフェース１２４の位置（ｘ，ｙ）＝（１０，１０）に表示する（データ項目２０５およびデータ項目２０６）。
【００４６】
ジョブ設定情報（入力）（「ＭＯＤＥ＿ＩＮ」）、ジョブ設定情報（出力）（「ＭＯＤＥ＿ＯＵＴ」）、機器状態（「ＳＴＡＴＵＳ」）、用紙情報（「ＰＡＰＥＲ」）、ページ情報（「ＰＡＧＥ」）の内容をこの順序でスピーカに出力する（データ項目２０７）。
【００４７】
次に、ユーザインタフェース１２４の表示部に表示する補足情報について説明する。
【００４８】
図３及び図４は、ユーザインタフェース１２４の表示部に補足情報として表示する表示データの一例を示す図である。
【００４９】
コントローラ部２０は、データ項目２０３に記憶されている値に応じて、補足情報の内容を決定し、ユーザインタフェース１２４の表示部に補足情報として表示する表示データを生成する。
【００５０】
コントローラ部２０は、データ項目２０３に「ＰＡＧＥ」が記憶されている場合には、図３（ａ）に示す表示データ３００（ａ）を生成する。表示データ３００（ａ）の表示部位３０１は、現在表示しているプレビュー画像のページ番号を示し、表示部位３０２は、総ページ数を示す。
【００５１】
コントローラ部２０は、データ項目２０３に「ＰＡＰＥＲ」が記憶されている場合には、図３（ｂ）に示す表示データ３００（ｂ）を生成し、印刷装置１１が出力する用紙情報を表示する。表示データ３００（ｂ）の表示領域３００（ｂ−２）には、現在表示しているページの用紙情報が表示され、表示領域３００（ｂ−１）には、前のページの用紙情報が表示され、表示領域３００（ｂ−３）には、次のページの用紙情報が表示される。なお、総ページ数が１の場合など、現在表示しているページに前のページ又は次のページがないときは、表示領域３００（ｂ−１），３００（ｂ−３）は非表示となる。
【００５２】
表示領域３００（ｂ−１），３００（ｂ−２），３００（ｂ−３）の表示内容は同様であり、次のとおりである。
【００５３】
表示部位３０３及び表示部位３０４は、それぞれアイコンと文字列で、用紙の種類を示す。表示部位３０５は、用紙のサイズを示す。表示部位３０６及び表示部位３０７は、それぞれアイコンと文字列で、当該用紙を給紙する給紙段を示す。表示部位３０８は、表示部位３０６及び表示部位３０７で示した給紙段における用紙残量を示す。
【００５４】
コントローラ部２０は、データ項目２０３に「ＭＯＤＥ＿ＩＮ」が記憶されている場合には、図４（ａ）に示す表示データ３００（ｃ）を生成する。表示データ３００（ｃ）は、倍率やカラーモード、連続読込の有無といったジョブ設定情報（入力）を示す。
【００５５】
コントローラ部２０は、データ項目２０３に「ＭＯＤＥ＿ＯＵＴ」が記憶されている場合には、図４（ｂ）に示す表示データ３００（ｄ）を生成する。表示データ３００（ｄ）は、部数や仕上げ、地紋有無といったジョブ設定情報（出力）を示す。
【００５６】
コントローラ部２０は、データ項目２０４に「ＳＴＡＴＵＳ」が記憶されている場合には、図４（ｃ）に示す表示データ３００（ｅ）を生成する。表示データ３００（ｅ）は、機器の状態情報を示す。
【００５７】
次に、プレビュー画像の表示態様について説明する。
【００５８】
図５は、ユーザインタフェース１２４の表示部にプレビュー画像として表示する表示データの一例を示す図である。
【００５９】
コントローラ部２０は、データ項目２０５に記憶されている値に応じて、プレビュー画像の表示態様を決定し、ユーザインタフェース１２４の表示部に表示する表示データを生成する。
【００６０】
コントローラ部２０は、データ項目２０５に「ＮＯＲＭＡＬ」が記憶されている場合には、図５（ａ）に示す態様のプレビュー画像の表示データ４００（ａ）を生成する。プレビュー画像の表示データ４００（ａ）は、現在のページの矩形部分に生成する。
【００６１】
コントローラ部２０は、データ項目２０５に「ＰＡＧＥ」が記憶されている場合には、図５（ｂ）に示す態様のプレビュー画像の表示データ４００（ｂ）を生成する。表示データ４００（ｂ）は、中央の矩形部分に現在のページのプレビュー画像の表示データを生成し、左の矩形部分に前のページのプレビュー画像の表示データを生成し、右のページの矩形部分に次のページのプレビュー画像の表示データを生成する。なお、現在のページに前のページ又は次のページがない場合は、左の矩形部分又は右の矩形部分にプレビュー画像の表示データを生成しない。
【００６２】
コントローラ部２０は、データ項目２０５に「ＮＯＲＭＡＬ＋ＷＡＴＥＲＭＡＲＫ」が記憶されている場合には、図５（ｃ）に示すように、「ＮＯＲＭＡＬ」と同様の態様のプレビュー画像に地紋の画像を加えた表示データ４００（ｃ）を生成する。
【００６３】
コントローラ部２０は、データ項目２０５に「ＮＯＲＭＡＬ＋ＣＬＥＡＲＴＯＮＥＲ」が記憶されている場合には、図５に示す態様の表示データ４００（ｄ）を生成する。表示データ４００（ｄ）は、「ＮＯＲＭＡＬ」と同様の態様のプレビュー画像の表示データに対しクリアトナーの版を示す位置を黒く表示した表示データである。
【００６４】
コントローラ部２０は、データ項目２０５に「ＰＡＧＥ＋ＷＡＴＥＲＭＡＲＫ」が記憶されている場合には、「ＰＡＧＥ」と同様の態様でプレビュー画像の表示データ４００（ｂ）を生成する。加えて、コントローラ部２０は、プレビュー画像の表示データ４００（ｂ）に、「ＮＯＲＭＡＬ＋ＷＡＴＥＲＭＡＲＫ」と同様の地紋を生成する。
【００６５】
コントローラ部２０は、データ項目２０５に「ＰＡＧＥ＋ＣＬＥＡＲＴＯＮＥＲ」が記憶されている場合には、「ＰＡＧＥ」と同様の態様でプレビュー画像の表示データ４００（ｂ）を生成する。加えて、コントローラ部２０は、プレビュー画像の表示データ４００（ｂ）に対し、「ＮＯＲＭＡＬ＋ＣＬＥＡＲＴＯＮＥＲ」と同様に、クリアトナーを載置する箇所以外を暗転する。
【００６６】
次に、ユーザインタフェース１２４のスピーカから出力する音声データについて説明する。
【００６７】
コントローラ部２０は、データ項目２０７に記憶されている値に応じて、音声内容を決定し、ユーザインタフェース１２４のスピーカから出力する音声データを生成する。
【００６８】
コントローラ部２０は、データ項目２０７に「ＰＡＧＥ」が記憶されている場合には、ページ情報について、例えば「総ページ数、５ページ。現在のページ番号、２。」の音声データを生成する。
【００６９】
コントローラ部２０は、データ項目２０７に「ＰＡＰＥＲ」が記憶されている場合には、用紙情報について、例えば「用紙サイズＡ４、光沢紙。給紙段１。」の音声データを生成する。また、コントローラ部２０は、当該給紙段の用紙が少ない場合や用紙がない場合には、前記音声データに続けて、例えば「用紙が少なくなっています。」、「用紙がありません」の音声データを生成する。
【００７０】
コントローラ部２０は、データ項目２０７に「ＭＯＤＥ＿ＩＮ」が記憶されている場合には、ジョブ設定情報（入力）について、例えば「倍率、定型、７０％。カラーモード、白黒。連続読込、あり」の音声データを生成する。
【００７１】
コントローラ部２０は、データ項目２０７に「ＭＯＤＥ＿ＯＵＴ」が記憶されている場合には、ジョブ設定情報（出力）について、例えば「部数、３部。両面設定、両面から片面。仕上げ、ホチキス、右上。地紋印字、あり」の音声データを生成する。
【００７２】
コントローラ部２０は、データ項目２０７に「ＳＴＡＴＵＳ」が記憶されている場合には、機器状態について、例えば「ホチキスの針を補充してください」の音声データを生成する。
【００７３】
次に、プレビュー表示データの生成処理について説明する。図６は、コントローラ部２０がユーザインタフェース１２４の表示部に表示する表示データを生成する処理を説明するためのフローチャート図である。
【００７４】
ステップＳ５０１では、コントローラ部２０は、所定の記憶領域に記憶している現在の拡大率／縮小率を読み出し、ステップＳ５０２に進む。
【００７５】
ステップＳ５０２では、コントローラ部２０は、所定の記憶領域に記憶しているプレビュー出力定義データ２００から、現在の拡大率／縮小率に該当するレコードを取得し、ステップＳ５０３に進む。
【００７６】
ここでは、コントローラ部２０は、現在の拡大率／縮小率の値がデータ項目２０１の値以上かつデータ項目２０２の値以下であるレコードを取得する。なお、ここで取得したレコードは、後述する音声データの生成処理において使用するため、コントローラ部２０は、取得したレコードのデータを所定の記憶領域に記憶しておく。
【００７７】
ステップＳ５０３では、コントローラ部２０は、ステップＳ５０２で取得したレコードのデータ項目２０３の値を解析し、補足情報としてユーザインタフェース１２４の表示部に表示する内容を決定し、ステップＳ５０４に進む。
【００７８】
ここでは、コントローラ部２０は、データ項目２０３の値を、カンマ（，）で分解して、補足情報を示す文字列を取得する。例えばレコード２１２の場合、データ項目２０３は「ＰＡＰＥＲ，ＰＡＧＥ，ＳＴＡＴＵＳ」である。従って、この場合、取得する補足情報は、用紙情報（「ＰＡＰＥＲ」）とページ情報（「ＰＡＧＥ」）、機器状態情報（「ＳＴＡＴＵＳ」）となる。ここでの処理は、本発明の第１の決定手段の一例に相当する。
【００７９】
ステップＳ５０４では、コントローラ部２０は、ステップＳ５０２で取得したレコードのデータ項目２０４の値を解析し、ユーザインタフェース１２４の表示部に表示する補足情報の位置を決定し、ステップＳ５０５に進む。
【００８０】
ここでは、コントローラ部２０は、データ項目２０４の値を、カンマ（，）で分解して、表示位置を示す座標値を取得する。例えばレコード２１２の場合、用紙情報の表示位置として（ｘ，ｙ）＝（１０，３２０）と得る。また、ページ情報の表示位置として（ｘ，ｙ）＝（１８０，２９０）を得る。更に、機器状態情報の位置として（ｘ，ｙ）＝（１０，４４０）を得る。
【００８１】
ステップＳ５０５では、コントローラ部２０は、ステップＳ５０２で取得したレコードのデータ項目２０５の値から、プレビュー画像の表示態様を決定し、ステップＳ５０６に進む。ここでは、コントローラ部２０は、例えばレコード２１２の場合、図５（ｂ）に示すプレビュー画像の表示態様を決定する。ここでの処理は、本発明の第２の決定手段の一例に相当する。
【００８２】
ステップＳ５０６では、コントローラ部２０は、ステップＳ５０２で取得したレコードのデータ項目２０６の値から、プレビュー画像の表示位置を取得し、ステップＳ５０７に進む。ここでは、コントローラ部２０は、例えばレコード２１２の場合、プレビュー画像の表示位置として（ｘ，ｙ）＝（１０，１０）を取得する。
【００８３】
ステップＳ５０７では、コントローラ部２０は、所定の記憶領域に記憶しているプレビュー画像を読み出し、ステップＳ５０８に進む。
【００８４】
ステップＳ５０８では、コントローラ部２０は、ステップＳ５０３で決定した補足情報の内容を基に、表示データを生成し、ステップＳ５０９に進む。このとき、コントローラ部２０は、プレビューされる画像に対応するジョブのジョブ設定に従って、表示データを生成する。例えば、ジョブが複数ページから構成され、そのジョブに対して１ページ目を光沢紙に印刷して、２ページ目を普通紙に印刷して、３ページ目をユーザ定義の用紙に印刷するよう指定されているとする。コントローラ部２０は、ジョブを受付ける際に、これらのジョブ設定を間接記憶部１２３で管理しておき、当該ジョブ設定と、ステップＳ５０３で決定した補足情報とに従って、プレビュー画像を生成して表示する。
【００８５】
ステップＳ５０９では、コントローラ部２０は、ステップＳ５０５で取得したプレビュー画像の表示態様及びステップＳ５０７で読み出したプレビュー画像を基に、表示データを生成し、ステップＳ５１０に進む。
【００８６】
ステップＳ５１０では、コントローラ部２０は、ステップＳ５０８及びステップＳ５０９で生成した表示データ、ステップＳ５０４及びステップＳ５０６で取得した位置をユーザインタフェース１２４の表示部に出力し、処理を終了する。
【００８７】
図７は、コントローラ部２０がユーザインタフェース１２４のスピーカに出力する音声データを生成する処理を説明するためのフローチャート図である。
【００８８】
ステップＳ６０１では、コントローラ部２０は、所定の記憶領域に記憶している現在の拡大率／縮小率を読み出し、ステップＳ６０２に進む。
【００８９】
ステップＳ６０２では、コントローラ部２０は、図６のステップＳ５０２で記憶したプレビュー出力定義データ２００における現在の拡大率／縮小率に応じたレコードを読み出し、ステップＳ６０３に進む。
【００９０】
ステップＳ６０３では、コントローラ部２０は、ステップＳ６０２で読み出したレコードのデータ項目２０１の値とステップＳ６０１で読み出した現在の拡大率／縮小率とが一致するか否かを判断する。
【００９１】
そして、コントローラ部２０は、ステップＳ６０２で読み出したレコードのデータ項目２０１の値とステップＳ６０１で読み出した現在の拡大率／縮小率とが一致する場合は、ステップＳ６０４に進み、一致しない場合は、処理を終了する。
【００９２】
ステップＳ６０４では、コントローラ部２０は、ステップＳ６０２で読み出したレコードのデータ項目２０７の値を解析し、ユーザインタフェース１２４のスピーカから出力する音声内容を決定し、ステップＳ６０５に進む。
【００９３】
ここでは、コントローラ部２０は、データ項目２０７の値を、カンマ（，）で分解して、音声内容の文字列を取得する。例えばレコード２１２の場合、データ項目２０７は「ＭＯＤＥ＿ＩＮ，ＭＯＤＥ＿ＯＵＴ，ＳＴＡＴＵＳ，ＰＡＰＥＲ，ＰＡＧＥ」である。従って、ジョブ設定情報（入力）、ジョブ設定情報（出力）情報、機器状態情報、用紙情報、ページ情報を当該順序でスピーカから出力する音声内容を取得する。これにより、現在の拡大率／縮小率では表示部に表示されない補足情報の音声内容が優先的にスピーカから出力されることになる。ここでの処理は、本発明の第３の決定手段の一例に相当する。
【００９４】
ステップＳ６０５では、コントローラ部２０は、ステップＳ６０４で取得した音声内容を基に、音声データを生成し、ステップＳ６０６に進む。
【００９５】
ステップＳ６０６では、コントローラ部２０は、ステップＳ６０５で生成した音声データをユーザインタフェース１２４のスピーカに出力し、処理を終了する。
【００９６】
図８は、プレビュー表示後に拡大率／縮小率を変更した場合のコントローラ部２０の処理を説明するためのフローチャート図である。
【００９７】
ステップＳ７０１では、コントローラ部２０は、現在の拡大率／縮小率を１００［％］に設定して、所定の記憶領域に記憶し、ステップＳ７０２に進む。
【００９８】
ステップＳ７０２では、コントローラ部２０は、画像処理装置１２が読み取った画像や外部インタフェース１２５が外部装置より受信した画像からプレビュー画像を生成し、ステップＳ７０３に進む。
【００９９】
ステップＳ７０３では、コントローラ部２０は、図６で説明した処理を実行する事により、プレビュー画像及び補足情報の表示データを生成して、ユーザインタフェース１２４の表示部に出力し、ステップＳ７０４に進む。これにより、ユーザインタフェース１２４の表示部にプレビュー画像及び補足情報が表示される。
【０１００】
ステップＳ７０４では、コントローラ部２０は、図７で説明した処理を実行する事により、音声データを生成して、ユーザインタフェース１２４のスピーカに出力し、ステップＳ７０５に進む。これにより、ユーザインタフェース１２４のスピーカから音声が出力される。
【０１０１】
ステップＳ７０５では、コントローラ部２０は、ユーザインタフェース１２４でのユーザ操作により、拡大率／縮小率が変更されたか否かを判断する。そして、コントローラ部２０は、拡大率／縮小率が変更された場合は、ステップＳ７０６に進み、拡大率／縮小率が変更されていない場合は、ステップＳ７０７に進む。
【０１０２】
ステップＳ７０６では、コントローラ部２０は、ステップＳ７０５で変更された拡大率／縮小率を所定の記憶領域に記憶して、ステップＳ７０３に戻り、変更後の拡大率／縮小率でステップＳ７０３以降の処理を実行する。
【０１０３】
ステップＳ７０７では、コントローラ部２０は、ユーザインタフェース１２４でのユーザ操作により、プレビュー表示の終了が指示されたか否かを判断する。そして、コントローラ部２０は、プレビュー表示の終了が指示された場合は、処理を終了し、プレビュー表示の終了が指示されない場合は、ステップＳ７０５に戻る。
【０１０４】
次に、図９〜図１１を参照して、ユーザインタフェース１２４の表示部に表示される画面例について説明する。
【０１０５】
コントローラ部２０は、ユーザインタフェース１２４の入力部でのユーザ操作によりプレビュー表示の指示が成されると、表示部に図９（ｂ）に示す画面８００（ｄ）を表示する。画面８００（ｄ）は、プレビュー出力定義データ２００におけるレコード２１３に応じた表示内容である。具体的には、プレビュー画像は、図５（ｂ）に示す表示データ４００（ｂ）の態様で表示する。補足情報は、ページ情報を図３（ａ）に示す表示データ３００（ａ）の内容で表示し、機器状態情報を図４（ｃ）に示す表示データ３００（ｅ）に示した内容で表示する。８００（ｄ）に示すプレビュー表示では、５ページあるデータのうちの２ページ目が中央に表示されている。なお、図９〜図１１に示されるプレビュー表示において、表示される各用紙ごとに、実際にその用紙に印刷される画像が重ねて表示される。それによって、印刷結果がプレビュー表示として表示部に表示される。
【０１０６】
スライダ８０１は、プレビュー表示の拡大率／縮小率を指示するためのものである。ツマミ８０２を画面上方向に移動させることで、プレビュー表示を小さく表示（縮小）し、ツマミ８０２を画面下方向に移動させることで、プレビュー表示を大きく表示（拡大）する。ここで、ツマミ８０２を画面上方向に移動することを「縮小指示」、ツマミ８０２を画面下方向に移動することを「拡大指示」とする。閉じるボタン８０３は、プレビュー表示の終了を指示するためのものである。この閉じるボタン８０３を操作すると、コントローラ部２０は、プレビュー表示を終了して、それ以前の画面（不図示）へ遷移させる。
【０１０７】
なお、スライダ８０１、ツマミ８０２、及び閉じるボタン８０３は、以降説明する各画面８００（ａ）、８００（ｂ）、８００（ｃ）、８００（ｅ）、８００（ｆ）においても同様であるので、以降での説明は省略する。コントローラ部２０は、これらの画面を、図２に示すプレビュー出力定義データに従って表示する。
【０１０８】
画面８００（ｄ）の表示状態から縮小指示すると、コントローラ部２０は、ユーザインタフェース１２４の表示部に図１０（ｂ）に示す画面８００（ｂ）を表示する。画面８００（ｂ）は、プレビュー出力定義データ２００におけるレコード２１２に応じた表示内容である。具体的には、プレビュー画像は、画面８００（ｄ）と同様の態様の表示データ４００（ｂ）で表示する。補足情報は、画面８００（ｄ）で表示した内容に加えて、用紙情報を図３（ｂ）に示す表示データ３００（ｂ）に示した内容で表示する。なお、画面８００（ｂ）の表示状態から拡大指示すると、コントローラ部２０は、ユーザインタフェース１２４の表示部に、図９（ｂ）に示す画面８００（ｄ）を表示する。
【０１０９】
画面８００（ｂ）の表示状態から縮小指示すると、コントローラ部２０は、ユーザインタフェース１２４の表示部に図１０（ａ）に示す画面８００（ａ）を表示する。画面８００（ａ）は、プレビュー出力定義データ２００におけるレコード２１１に応じた表示内容である。具体的には、プレビュー画像は、画面８００（ｂ）と同様の態様の表示データ４００（ｂ）で表示する。補足情報は、画面８００（ｂ）で表示した内容に加えて、ジョブ設定情報（入力）の図４（ａ）に示す表示データ３００（ｃ）及びジョブ設定情報（出力）の図４（ｂ）に示す表示データ３００（ｄ）に示した内容で表示する。なお、  画面８００（ａ）の表示状態から拡大指示すると、コントローラ部２０は、ユーザインタフェース１２４の表示部に画面８００（ｂ）を表示する。
【０１１０】
画面８００（ｄ）の表示状態から拡大指示すると、コントローラ部２０は、ユーザインタフェース１２４の表示部に図９（ａ）に示す画面８００（ｃ）を表示する。画面８００（ｃ）は、プレビュー出力定義データ２００におけるレコード２１４に応じた表示内容である。具体的には、プレビュー画像は、図５（ａ）に示す表示データ４００（ａ）の態様（現在ページ）で表示する。なお、この画面８００（ｃ）では、補足情報は表示しない。また、画面８００（ｃ）の表示状態から縮小指示すると、コントローラ部２０は、ユーザインタフェース１２４の表示部に図９（ｂ）に示す画面８００（ｄ）を表示する。
【０１１１】
画面８００（ｃ）の表示状態から拡大指示すると、コントローラ部２０は、ユーザインタフェース１２４の表示部に図１１（ａ）に示す画面８００（ｅ）を表示する。画面８００（ｅ）は、プレビュー出力定義データ２００におけるレコード２１５に応じた表示内容である。具体的には、プレビュー画像を、図５（ｃ）に示す表示データ４００（ｃ）の態様（地紋印字の様子を表示）で表示する。なお、画面８００（ｅ）の表示状態から縮小指示すると、コントローラ部２０は、ユーザインタフェース１２４の表示部に図９（ａ）に示す画面８００（ｃ）を表示する。
【０１１２】
画面８００（ｅ）の表示状態から拡大指示（最大倍率以上を指示）すると、コントローラ部２０は、ユーザインタフェース１２４の表示部に図１１（ｂ）に示す画面８００（ｆ）を表示する。画面８００（ｆ）は、プレビュー出力定義データ２００におけるレコード２１６に応じた表示内容である。具体的には、プレビュー画像を、図５（ｄ）に示す表示データ４００（ｄ）の態様（クリアトナー載りの様子を表示）で表示する。なお、画面８００（ｆ）の表示状態から縮小指示すると、コントローラ部２０は、ユーザインタフェース１２４の表示部に図１１（ａ）に示す画面８００（ｅ）を表示する。
【０１１３】
以上説明したように、本実施形態では、プレビュー表示の拡大率／縮小率に応じて、プレビュー画像以外の補足情報の表示やプレビュー画像自体の表示態様を制御して、プレビュー画像と共に表示する情報の種類とプレビュー画像の表示態様を変えている。これにより、ユーザが、プレビュー画像を拡大／縮小して確認しようとしている内容に適合した情報を表示部に表示することができ、利便性が向上する。
【０１１４】
また、プレビュー表示の現在の拡大率／縮小率が所定の値の場合には、プレビュー画像と共に補足情報をスピーカから音声で出力し、この音声は、現在の拡大率／縮小率では表示部に表示されていない情報について優先的に出力される。このため、ユーザは、表示部に表示されていない補足情報についても把握する事ができ、より利便性が向上する。
【０１１５】
（第２の実施形態）
次に、図１２〜図１６を参照して、本発明の画像表示装置の第２の実施形態である画像形成装置について説明する。なお、上記第１の実施形態に対して重複又は相当する部分については、図及び符号を流用して説明する。
【０１１６】
本実施形態では、ジョブ設定に「製本」が設定されている場合の例を説明する。上記第１の実施形態では、プレビュー出力定義データ２００におけるデータ項目２０５（プレビュー画像の表示態様）には、次のいずれかの情報を記憶可能である。「ＮＯＲＭＡＬ」、「ＰＡＧＥ」、「ＮＯＲＭＡＬ＋ＷＡＴＥＲＭＡＲＫ」、「ＮＯＲＭＡＬ＋ＣＬＥＡＲＴＯＮＥＲ」、「ＰＡＧＥ＋ＷＡＴＥＲＭＡＲＫ」、「ＰＡＧＥ＋ＣＬＥＡＲＴＯＮＥＲ」。
【０１１７】
本実施形態では、データ項目２０５に、上記情報に加えて、製本出力の態様を示す「ＢＯＯＫ」を記憶可能にしている。
【０１１８】
図１２は、本実施形態で用いるプレビュー出力定義データ９００の一例を示すデータ構成図である。プレビュー出力定義データ９００は、プレビュー画像の拡大率／縮小率に応じて、ユーザインタフェース１２４の表示部及びスピーカに出力する内容を定義したデータであり、コントローラ部２０が記憶し管理する。
【０１１９】
プレビュー出力定義データ９００の各データ項目およびレコードは、次の内容を除いて上記第１の実施形態で用いたプレビュー出力定義データ２００と同様である。
【０１２０】
レコード２１１のデータ項目２０５の値は「ＢＯＯＫ」であり、データ項目２０４のページ情報の表示位置は（ｘ，ｙ）＝（３００，１０）である（レコード９１１）。レコード２１２のデータ項目２０５の値は「ＢＯＯＫ」であり、データ項目２０４のページ情報の表示位置は（ｘ，ｙ）＝（４２０，１０）である（レコード９１２）。レコード２１３のデータ項目２０５の値は「ＢＯＯＫ」であり、データ項目２０４のページ情報の表示位置は（ｘ，ｙ）＝（４２０，１０）である（レコード９１２）。
【０１２１】
次に、プレビュー画像の表示態様について説明する。
【０１２２】
図１３は、ユーザインタフェース１２４の表示部にプレビュー画像として表示する表示データの一例を示す図である。
【０１２３】
コントローラ部２０は、データ項目２０５に記憶されている値に応じて、プレビュー画像の表示態様を決定し、ユーザインタフェース１２４の表示部に表示する表示データを生成する。
【０１２４】
データ項目２０５に次の情報が記憶されている場合には、コントローラ部２０は、図５で説明した内容と同様の処理を実行する。「ＮＯＲＭＡＬ」、「ＰＡＧＥ」、「ＮＯＲＭＡＬ＋ＷＡＴＥＲＭＡＲＫ」、「ＮＯＲＭＡＬ＋ＣＬＥＡＲＴＯＮＥＲ」、「ＰＡＧＥ＋ＷＡＴＥＲＭＡＲＫ」、「ＰＡＧＥ＋ＣＬＥＡＲＴＯＮＥＲ」。
【０１２５】
また、コントローラ部２０は、データ項目２０５に「ＢＯＯＫ」が記憶されている場合には、図１３に示す態様（製本された出力物の態様）でプレビュー画像の表示データ１０００を生成する。
【０１２６】
次に、図１４〜図１６を参照して、ユーザインタフェース１２４の表示部に表示される画面例について説明する。
【０１２７】
コントローラ部２０は、ユーザインタフェース１２４の入力部でのユーザ操作によりプレビュー表示の指示が成されると、表示部に図１４（ｂ）に示す画面１１００（ｄ）を表示する。画面１１００（ｄ）は、プレビュー出力定義データ９００におけるレコード９１３に応じた表示内容である。具体的には、プレビュー画像は、図１３に示す表示データ１０００の態様で表示し、補足情報は、図９（ｂ）に示す画面８００（ｄ）と同様の内容を表示する。なお、図１３〜図１６に示されるプレビュー表示において、表示される各用紙ごとに、コントローラ部２０は、実際にその用紙に印刷される画像を重ねて表示する。
【０１２８】
画面１１００（ｄ）の表示状態から縮小指示すると、コントローラ部２０は、ユーザインタフェース１２４の表示部に図１５（ｂ）に示す画面１１００（ｂ）を表示する。画面１１００（ｂ）は、プレビュー出力定義データ９００におけるレコード９１２に応じた表示内容である。具体的には、プレビュー画像は、画面１１００（ｄ）と同様の態様の表示データ１０００で表示し、補足情報は、図１０（ｂ）に示す画面８００（ｂ）と同様の内容を表示する。なお、画面１１００（ｂ）の表示状態から拡大指示すると、コントローラ部２０は、ユーザインタフェース１２４の表示部に画面１１００（ｄ）を表示する。
【０１２９】
画面１１００（ｂ）の表示状態から縮小指示すると、コントローラ部２０は、ユーザインタフェース１２４の表示部に図１５（ａ）に示す画面１１００（ａ）を表示する。画面１１００（ａ）は、プレビュー出力定義データ９００におけるレコード９１１に応じた表示内容である。具体的には、プレビュー画像は、画面１１００（ｂ）と同様の態様の表示データ１０００で表示し、補足情報は、図１０に示す画面８００（ａ）と同様の内容を表示する。なお、画面１１００（ａ）の表示状態から拡大指示すると、コントローラ部２０は、ユーザインタフェース１２４の表示部に画面１１００（ｂ）を表示する。
【０１３０】
画面１１００（ｄ）の表示状態から拡大指示すると、コントローラ部２０は、ユーザインタフェース１２４の表示部に図１４（ｂ）に示す画面８００（ｃ）を表示する。画面８００（ｃ）は、プレビュー出力定義データ９００におけるレコード９１４に応じた表示内容であり、表示内容は図９（ａ）と同様である。なお、画面８００（ｃ）の表示状態から縮小指示すると、コントローラ部２０は、ユーザインタフェース１２４の表示部に画面１１００（ｄ）を表示する。
【０１３１】
画面８００（ｃ）の表示状態から拡大指示すると、コントローラ部２０は、ユーザインタフェース１２４の表示部に図１６（ａ）に示す画面８００（ｅ）を表示する。画面８００（ｅ）は、プレビュー出力定義データ９００におけるレコード９１５に応じた表示内容であり、表示内容は図１１（ａ）と同様である。なお、画面８００（ｅ）の表示状態から縮小指示すると、コントローラ部２０は、ユーザインタフェース１２４の表示部に画面８００（ｃ）を表示する。
【０１３２】
画面８００（ｅ）の表示状態から拡大指示（最大倍率以上を指示）すると、コントローラ部２０は、ユーザインタフェース１２４の表示部に図１６（ｂ）に示す画面８００（ｆ）を表示する。画面８００（ｆ）は、プレビュー出力定義データ９００におけるレコード９１６に応じた表示内容であり、表示内容は図１１（ｂ）と同様である。なお、画面８００（ｆ）の表示状態から縮小指示すると、コントローラ部２０は、ユーザインタフェース１２４の表示部に画面８００（ｅ）を表示する。
【０１３３】
以上説明したように、本実施形態では、プレビュー画像の表示態様として、製本イメージを表す形態をも指定することができ、そして、所定の拡大率でプレビュー画像の表示態様を用紙を表す形態に変更する。これにより、プレビュー表示を小さく（縮小）しているときは、出来上がりの製本イメージによりプレビュー画像を参照しつつ、他の情報を参照し、プレビュー表示を大きく（拡大）しているときは、文字の鮮明さや色味、地紋印字の様子を参照することができる。このように、プレビュー表示の拡大率／縮小率に応じて、より適した態様によるプレビュー画像と情報の表示をすることができる。その他の構成及び作用効果は、上記第１の実施形態と同様である。
【０１３４】
なお、本発明は、上記各実施形態に例示したものに限定されるものではなく、本発明の要旨を逸脱しない範囲において適宜変更可能である。
【０１３５】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。ネットワーク又は各種記憶媒体を介して取得したソフトウェア（プログラム）をパーソナルコンピュータ（ＣＰＵ，プロセッサ）にて実行することでも実現できる。
【符号の説明】
【０１３６】
１      画像形成装置
２０    コントローラ部
１２４  ユーザインタフェース
【図１】
2011121230.tif 000003
【図２】
2011121230.tif 000004
【図３】
2011121230.tif 000005
【図４】
2011121230.tif 000006
【図５】
2011121230.tif 000007
【図６】
2011121230.tif 000008
【図７】
2011121230.tif 000009
【図８】
2011121230.tif 000010
【図９】
2011121230.tif 000011
【図１０】
2011121230.tif 000012
【図１１】
2011121230.tif 000013
【図１２】
2011121230.tif 000014
【図１３】
2011121230.tif 000015
【図１４】
2011121230.tif 000016
【図１５】
2011121230.tif 000017
【図１６】
2011121230.tif 000018